(57)【特許請求の範囲】
【請求項１】
壁面緑化に適用される２種類の生育補助材であって、その一方は壁面に直接取付けられる板状で留め孔を具備する第１の生育補助材であり、他方はこの板状の生育補助材の前方に取付けられる網状の第２の生育補助材であり、該第１、第２の生育補助材を壁面に取付けるための取付け金具であって、
壁面に埋め込まれるホールインアンカーと、
ボルト挿通孔と複数の突起を具備する第１のプレートと、
ボルト挿通孔と前記複数の突起が挿通される複数の突起挿通孔を具備する第２のプレートと、
ボルトと、その途中位置にある第１、第２の留めナットと、その端部にあるアイナットとからなる留め具と、から構成された壁面緑化に用いられる取付け金具。
【請求項２】
第１、第２のプレートがともに平面視矩形で同じ平面形状および平面寸法を有し、第１のプレートの４つの隅角近傍にそれぞれ突起が設けてあり、第２のプレートの４つの隅角近傍にそれぞれ突起挿通孔が設けてあり、第１、第２のプレート双方の平面視中央位置にボルト挿通孔が設けてある、請求項１に記載の壁面緑化に用いられる取付け金具。
【請求項３】
請求項１または２に記載の複数の取付け金具と、
前記複数の取付け金具によって壁面に取付けられた複数の第１、第２の生育補助材と、から構成されており、
壁面に埋め込まれたホールインアンカーにねじ込まれて該ホールインアンカーから突出しているボルトに第１のプレートのボルト挿通孔が挿通され、第１の留めナットで第１のプレートが固定されており、第１のプレートの複数の突起のそれぞれに第１の生育補助材の留め孔が挿通され、ボルトに第２のプレートのボルト挿通孔が挿通され、第１のプレートの複数の突起が第２のプレートの複数の突起挿通孔に挿通され、第２の留めナットで第２のプレートが固定されて第１、第２のプレートにて第１の生育補助材が挟持されて取り付けられ、アイナットにワイヤーが挿通され、該ワイヤーに第２の生育補助材が取り付けられた壁面緑化体。
【発明の詳細な説明】
【技術分野】
【０００１】
本発明は、壁面緑化に用いられる取付け金具と、この取付け金具を具備する壁面緑化体に関するものである。
【背景技術】
【０００２】
近年、特に都市部においてはコンクリートやアスファルトなどの人工物に覆われている面積が増えており、温室効果ガスの排出量の増加と合わせて、都市とその周辺部の気温が上昇する、いわゆるヒートアイランド現象が問題となっている。
【０００３】
このヒートアイランド現象の緩和策の一つとして、あるいはこの緩和策に加えて都市の景観を向上させることを目的として、ビルやマンション、駅舎等の公共施設などの建物の屋上やその壁面を緑化する、いわゆる壁面緑化が多方面で進められている。この壁面緑化は、壁面にて外気に輻射される、あるいは建物に還流する日射エネルギーを低減する効果があるとされている。さらには、植物が根から吸収した水分を気孔から蒸散する際に気化熱として熱が奪われるため、屋上や壁面の緑化によって緑地面積が増加し、このことによってヒートアイランド現象が緩和されると期待されている。
【０００４】
ところで、これまでに実用化されている壁面緑化方法（工法）は、主として次の３種類の方法、すなわち、生育補助材（ネットやワイヤーなど）を壁面に設置し、そこにつる植物を這わせて緑化させる方法である登はん型による方法、壁面上部にプランター等を取り付けて植物を下に垂らして壁面を覆う下垂型による方法、壁面に植栽基盤を設置する基盤造成型による方法がある。
【０００５】
そのうち、登はん型による方法や下垂型による方法では、緑化に必要な装置が少ないために基盤造成型による方法に比べて設置費用が安価になる一方で、壁面全面が植物に覆われるまでに長い時間を要してしまうといった問題がある。
【０００６】
それに対して、基盤造成型による方法は植栽基盤を壁面に設置すると同時に壁面の緑化を図ることができる一方で、このような植栽基盤を必要とし、さらにはこれらを設置するためのフレーム体などを壁面とは独立に組み立てる必要があり、設置費用が非常に高価なものになるといった問題がある。
【０００７】
以上のことより、設置費用が非常に高価なものとなり得る基盤造成型による方法ではなく、設置費用が安価な登はん型による方法や下垂型による方法を適用しながら、壁面全体が植物に覆われるまでの時間を可及的に短縮する（もしくは植物の被覆速度を速める）ための技術開発が進められている。
【０００８】
植物の被覆速度を速めるための技術開発として、登はん活性や下垂活性が高い植物を選定すること、植物の登はんや下垂が促進される生育補助材を開発すること、生育補助材の設置方法を改良することなどがおこなわれている。
【０００９】
壁面を登はんする植物で登はん活性の高い植物としては、吸着・付着根を壁面に自着させてつるを伸ばしていくヘデラ類やオオイタビといった吸着・付着型のつる植物と、金網やワイヤーといった支持体につるやひげなどを巻きつかせて登はんしていくジャスミンやムべといった巻つる性のつる植物を選定することができる。
【００１０】
生育補助材に関しては、例えば特許文献１で開示されるように、緑化する壁面にヤシ繊維からなる緑化パネルを登はん助材として取り付ける技術がある。この緑化パネルの表面には、波形の線材と線材の凸部において波型線材と交差するように直状線材が取り付けられており、つる植物が登はんする際に、つる植物が緑化マットから脱落することを保護する格子が緑化パネルの前面に形成されている。また、特許文献２では、巻つる性のつる植物が巻つきやすいステンレス製ワイヤーの形状が開示されている。
【００１１】
これら特許文献１，２で開示の技術は、吸着・付着型、あるいは巻つる性のつる植物のいずれか一方に特化した緑化装置に関するものであり、生育型が異なる植物を同時に登はんさせること、たとえば、吸着・付着型のつる植物と巻つる性のつる植物の双方を同時に登はんさせることには対応できていない。
【００１２】
なお、特許文献３では、つる植物の上方向への生長を誘導する植物伸長路が形成されている壁面とその壁面の前面に張設される格子状の植物支持壁を備えた壁面緑化装置が開示されている。ここでは、植物伸長路には吸着・付着性のつる植物、植物支持壁には巻つる性の植物を繁茂させるとしており、生育型が異なるつる植物にそれぞれ適合する２種類の生育補助材を備えた緑化装置となっている。しかしながら、その構成要素である植物伸長路はセメント成形板等によって形成されており、その表面に付着性のつる植物が自着しやすいように粒体を含有する塗料を塗布することとされており、このために、種類によってはセメント板等に付着することを好まない植物に対応することはできない。また、既存の壁面を緑化する際には新たにセメント成形板等からなる凹凸のついた立壁状の植栽装置を既存の壁の前に別に取付ける必要があるため、設置コストがかかってしまうといった問題があり、設置費用を安価にするために登はん型による方法を選定したにも関わらず、そのメリットが相殺されてしまうことになる。
【先行技術文献】
【特許文献】
【００１３】
【特許文献１】特開２００６−７５００９号公報
【特許文献２】特開２００７−３０６８５８号公報
【特許文献３】特開２０１０−１６１９９５号公報
【発明の概要】
【発明が解決しようとする課題】
【００１４】
本発明は上記する問題に鑑みてなされたものであり、登はん型による方法や下垂型による方法で建物等の壁面を緑化するに当たり、生育型が異なる植物を同時に、しかも安価に登はんもしくは下垂させることのできる壁面緑化に用いられる取付け金具と、この取付け金具を具備する壁面緑化体を提供することを目的としている。
【課題を解決するための手段】
【００１５】
前記目的を達成すべく、本発明による壁面緑化に用いられる取付け金具は、壁面緑化に適用される２種類の生育補助材であって、その一方は壁面に直接取付けられる板状で留め孔を具備する第１の生育補助材であり、他方はこの板状の生育補助材の前方に取付けられる網状の第２の生育補助材であり、該第１、第２の生育補助材を壁面に取付けるための取付け金具であって、壁面に埋め込まれるホールインアンカーと、ボルト挿通孔と複数の突起を具備する第１のプレートと、ボルト挿通孔と前記複数の突起が挿通される複数の突起挿通孔を具備する第２のプレートと、ボルトと、その途中位置にある第１、第２の留めナットと、その端部にあるアイナットとからなる留め具と、から構成されたものである。
【００１６】
本発明の取付け金具は、生育型が異なる植物を登はんもしくは下垂させる板状の第１の生育補助材と網状の第２の生育補助材を同時に壁面に固定するものであり、このことによって、たとえば板状の第１の生育補助材には吸着・付着性のつる植物を登はん等させ、これと同時に網状の第２の生育補助材には巻つる性のつる植物を登はん等させることが可能となる。
【００１７】
取付け金具は、壁面に埋め込まれるホールインアンカー、ボルト挿通孔と複数の突起を具備する第１のプレート、ボルト挿通孔と前記複数の突起が挿通される複数の突起挿通孔を具備する第２のプレート、および、ボルト（寸切ボルト等）と、その途中位置にある２つの留めナット（第１、第２の留めナット）と、その端部にあるアイナットとからなる留め具をその基本構成としている。
【００１８】
第１、第２の２つのプレートは壁面のホールインアンカーにねじ込まれて該ホールインアンカーから突出するボルトに挿通され、第１のプレートの複数の突起が第２のプレートの複数の突起挿通孔に挿通され、第１のプレートは第１の留めナットで固定され、第２のプレートは第２の留めナットで固定されるとともに、これら２つのプレートにて第１の生育補助材が挟持されることで第１の生育補助材の壁面固定が実現される。
【００１９】
さらに、ボルトの端部にあるアイナット（たとえばボルト端部の溝穴に螺合される形態）にワイヤーが挿通され、このワイヤーに第２の生育補助材が取り付けられることで、ワイヤーを介して間接的に、取付け金具を介した第２の生育補助材の壁面固定が実現される。
【００２０】
ここで、板状の第１の生育補助材としては、ヤシ繊維や木材チップなどの有機質素材のもの、ロックウールからなるもの、セメント板、凹凸のある化粧板など、様々な素材からなる板状の補助材を用いることができ、壁面緑化に使用される植物の生育特性や意匠的要請などから、最適な素材の補助材が選定されるのがよい。なお、同じ壁面に性状の異なる第１の生育補助材をモザイク状に取り付けるといった使用形態もある。
【００２１】
一方、巻つる性の植物に対応する網状の第２の生育補助材としては、化学繊維や麻などの有機質の繊維からなるネットや、ステンレス製のメッシュなどを使用することができる。取付け金具を構成するアイナットにたとえばステンレス製のワイヤーを通し、このワイヤーに網状の第２の生育補助材を結わくことによって取り付けられるものであるが、この第２の生育補助材に関しても、壁面緑化に使用される植物の生育特性や意匠的要請などから、最適な素材の補助材が選定されるのがよい。
【００２２】
また、本発明による壁面緑化に用いられる取付け金具の他の実施の形態として、第１、第２のプレートがともに平面視矩形で同じ平面形状および平面寸法を有し、第１のプレートの４つの隅角近傍にそれぞれ突起が設けてあり、第２のプレートの４つの隅角近傍にそれぞれ突起挿通孔が設けてあり、第１、第２のプレート双方の平面視中央位置にボルト挿通孔が設けてある形態を挙げることができる。
【００２３】
「平面視矩形」とは、長方形のほか、正方形も含む意味であり、さらに、その隅角部が若干切り欠かれた形状をも含む意味である。第１のプレートの４つの隅角近傍に設けられたそれぞれの突起には、４つの第１の生育補助材のそれぞれの留め孔を挿通させるようにし、すなわち、１つの取付け金具を４つの第１の生育補助材の中心位置に配設してすべての第１の生育補助材の隅角を固定することができる。
【００２４】
第１、第２のプレートがともに平面視矩形で同じ平面形状および平面寸法であることから、緑化対象の壁面の面積が広範囲に及ぶ場合に、同一形状および寸法のプレートを速やかに設置することができ、取付け効率の向上に繋がる。
【００２５】
また、本発明は壁面緑化体にも及ぶものであり、前記複数の取付け金具によって壁面に取付けられた複数の第１、第２の生育補助材と、から構成されており、壁面に埋め込まれたホールインアンカーにねじ込まれて該ホールインアンカーから突出しているボルトに第１のプレートのボルト挿通孔が挿通され、第１の留めナットで第１のプレートが固定されており、第１のプレートの複数の突起のそれぞれに第１の生育補助材の留め孔が挿通され、ボルトに第２のプレートのボルト挿通孔が挿通され、第１のプレートの複数の突起が第２のプレートの複数の突起挿通孔に挿通され、第２の留めナットで第２のプレートが固定されて第１、第２のプレートにて第１の生育補助材が挟持されて取り付けられ、アイナットにワイヤーが挿通され、該ワイヤーに第２の生育補助材が取り付けられたものである。
【００２６】
本発明の壁面緑化体は、ビルやマンション、駅舎等の公共施設などの建物の壁面のほか、傾斜面や盛土法面などに適用できるものである。また、壁面緑化体は垂直でフラットな壁面に取付けられるものの他にも、第１、第２の生育補助材に軟柔性のある有機質系のマットやネットを用いれば、垂直な湾曲面や垂直で多数の波状をなす面、傾斜したフラット面、傾斜した湾曲面などの三次元形状の曲面を有する壁面でも緑化が可能となる。この壁面緑化体によれば、既存の壁面において、低コストで、吸着・付着性のつる植物と巻つる性のつる植物からなる複層的な緑化を施すことが可能となり、緑化に適用できる植物種の範囲を広げることができる。
【００２７】
たとえば広範な壁面に対し、平面視矩形の４つの第１の生育補助材の中心位置に１つの取付け金具を配設してすべての第１の生育補助材の隅角を固定しながら、これを壁面全体に展開することにより、平面視矩形の第１の生育補助材の四隅が４つの取付け金具で壁面に固定され、この固定構造が壁面全体に展開され、さらにそれらの前面に多数の第２の生育補助材が配設された壁面緑化体が形成できる。
【００２８】
上記する壁面緑化体の取付け方法は、既述する本発明による複数の取付け金具と、複数の第１、第２の生育補助材を用意するステップ、壁面にホールインアンカーを埋め込むステップ、ホールインアンカーに寸切ボルトをねじ込むステップ、第１のプレートを寸切ボルトに通し、第１の留めナットで回転角を調整して固定するステップ、複数の突起のそれぞれに第１の生育補助材の留め孔を挿通させるステップ、ホールインアンカーから突出している寸切ボルトに第２のプレートを通し、この際に第１のプレートの複数の突起を第２のプレートの複数の挿通孔に挿通して第１、第２のプレートにて第１の生育補助材を挟持し、第２の留めナットで第２のプレートを締め付けて第１の生育補助材の取り付けるステップ、アイナットを寸切ボルトに固定するステップ、アイナットにワイヤーを挿通し、該ワイヤーに第２の生育補助材を取り付けて壁面緑化体を壁面に取付けるステップからなる。
【００２９】
この壁面緑化体の取付け方法によれば、低コストで、吸着・付着性のつる植物と巻つる性のつる植物からなる複層的な緑化を施すことが可能となり、さらには、植え付ける植物に最適な生育補助材を適用することにより、植物が壁面を被覆する速度を速めることもでき、登はん型による方法や下垂型による方法の場合における固有の課題、すなわち、壁面全面が植物に覆われるまでに長い時間を要してしまうという課題も効果的に解消することができる。
【発明の効果】
【００３０】
以上の説明から理解できるように、本発明の壁面緑化に用いられる取付け金具と、この取付け金具を具備する壁面緑化体によれば、壁面に対して生育型が異なる植物を同時に、しかも低コストで登はんもしくは下垂させることができる。
【図面の簡単な説明】
【００３１】
【図１】本発明の取付け金具の実施の形態の分解斜視図である。
【図２】（ａ）、（ｂ）の順に本発明の壁面緑化体の取付け方法を説明するフロー図である。
【図３】（ａ）は第１の生育補助材の実施の形態の斜視図であり、（ｂ）は図２ｂに続いて本発明の壁面緑化体の取付け方法を説明するフロー図である。
【図４】図３ｂに続いて本発明の壁面緑化体の取付け方法を説明するフロー図である。
【図５】図４に続いて本発明の壁面緑化体の取付け方法を説明するフロー図である。
【図６】図５のVI矢視図である。
【図７】図５に続いて本発明の壁面緑化体の取付け方法を説明するフロー図であって、壁面緑化体の実施の形態の正面図である。
【図８】図７で示す壁面緑化体の実施の形態の側面図である。
【発明を実施するための形態】
【００３２】
以下、図面を参照して本発明の取付け金具、この取付け金具を具備する壁面緑化体、さらにはこの壁面緑化体を壁面に取付ける取付け方法の実施の形態を説明する。なお、図示例の取付け金具は平面視矩形の第１、第２のプレートを有するものであるが、これらのプレートは平面視円形、楕円形、四角形以外の多角形など、任意の形状形態のものを使用することができる。また、図示例の第１の生育補助材は平面視矩形で板状でしかもフラットな形態であるが、取付けられる壁面の形状に応じて三次元的に湾曲した形状など、壁面形状に応じた多様な形状形態のものが使用できる。
【００３３】
（壁面緑化に用いられる取付け金具の実施の形態）
図１は本発明の取付け金具の実施の形態の分解斜視図である。図示する取付け金具１０は、壁面Ｗに埋め込まれるホールインアンカー１、ボルト挿通孔２ｂが開設された平面視略矩形のプレート材２ａの四隅近傍に突起２ｃが設けられた第１のプレート２、ボルト挿通孔３ｂが開設された平面視略矩形のプレート材３ａの四隅近傍に第１のプレート２の複数の突起２ｃがそれぞれ挿通される複数の突起挿通孔３ｃを具備する第２のプレート３、寸切ボルト４ａとその途中位置にある第１の留めナット４ｂ１、第２の留めナット４ｂ２とその端部にあるアイナット４ｃからなる留め具４から大略構成されている。
【００３４】
ここで、プレート材２ａとプレート材３ａはともに同形状（平面視矩形の４つの隅角が若干切り欠かれた略矩形状）かつ同寸法に加工されており、それぞれの突起２ｃと突起挿通孔３ｃは対応する位置に設けてあり、さらに、双方のボルト挿通孔２ｂ、３ｂが同一の孔位置となるように加工されている。
【００３５】
留め具４を使用する際には、その構成要素であるボルト４ａと第１の留めナット４ｂ１、第２の留めナット４ｂ２とアイナット４ｃが分離された状態で、それらを随時組付けながら最終的に図示する留め具４が構成されるようになっている。
【００３６】
図示する取付け金具１０を用いて不図示の第１、第２の生育補助材が取付けられる壁面Ｗとしては、ビルやマンション、駅舎等の公共施設などの建物の屋上やその壁面のほか、盛土法面などを挙げることができる。
【００３７】
次に、図２〜８を参照して、本発明の壁面緑化体とその取付け方法の実施の形態を説明する。
【００３８】
（壁面緑化体とその取付け方法の実施の形態）
図２〜８はその順に本発明の壁面緑化体の取付け方法の実施の形態のフロー図となっており、図７，８はさらに壁面に取付けられた壁面緑化体をも示す図である。
【００３９】
まず、図２ａで示すように、垂直な壁面Ｗに対し、図１で示す取付け金具１０を構成するホールインアンカー１を打ち込んで壁面Ｗ内に埋設固定する。なお、このホールインアンカー１は壁面に複数打ち込まれることになるが、それらの打ち込み位置は、平面視矩形で板状の第１の生育補助材が壁面に敷き並べられた際に各４つの第１の生育補助材の中心位置（４つの第１の生育補助材の隅角で囲まれた位置）である。
【００４０】
次に、図２ｂで示すように、ホールインアンカー１に寸切ボルト４ａをねじ込み、第１のプレート２のボルト挿通孔２ｂをホールインアンカー１から突出する寸切ボルト４ａに挿通し、第１の留めナット４ｂ１で締め付けて固定する。なお、この第１のプレート２の固定は、壁面Ｗ表面に埋設されたそれぞれのホールインアンカー１に対して一度におこなうのが取付け効率の観点から好ましい。
【００４１】
壁面Ｗ表面に第１のプレート２が固定されたら、この第１のプレート２の有する四隅近傍の突起２ｃのそれぞれに対して、図３ａで示す平面視矩形の第１の生育補助材５の留め孔５ａを挿通させ、図３ｂで示す側面構造を形成する。
【００４２】
ここで、板状の第１の生育補助材５としては、ヤシ繊維や木材チップなどの有機質素材のもの、ロックウールからなるもの、セメント板、凹凸のある化粧板など、様々な素材からなる板状の補助材を用いることができる。板状の第１の生育補助材５は、第１の留めナット４ｂ１と干渉しないように隅角部が若干切り欠かれた形状になっている。この板状の第１の生育補助材５は、たとえば吸着・付着型のつる植物の登はんや下垂のための補助材である。
【００４３】
１つの第１のプレート２の有する四隅近傍の突起２ｃのそれぞれに平面視矩形の４つの第１の生育補助材５のそれぞれの留め孔５ａを挿通させたら、図４で示すように、寸切ボルト４ａに第２のプレート３のボルト挿通孔３ｂを挿通し、この際に第１のプレート２の複数の突起２ｃを複数の突起挿通孔３ｃに挿通し、第１、第２のプレートにて第１の生育補助材５を挟持する。
【００４４】
次に、図５で示すように第２のプレートから突出する寸切ボルト４ａに第２の留めナット４ｂ２を螺合させて締め付けることにより、第１，第２のプレート２，３によって４つの第１の生育補助材５を挟持した姿勢で壁面Ｗ上に固定し、さらに寸切ボルト４ａの端部にアイナット４ｃを捻じ込む。
【００４５】
図５のVI矢視図であって、これまでの取り付けステップにて形成された壁面緑化体の中間体の正面図を図６に示している。
【００４６】
同図で示すように、４つの第１の生育補助材５の隅角を１つの取付け金具１０が壁面に固定しながら、複数の第１の生育補助材５が壁面上に敷き並べられており、各取付け金具１０の前方にはアイナット４ｃが突設した状態が形成されている。
【００４７】
次に、図７，８で示すように、上下左右に間隔を置いて配設されたアイナット４ｃに対し、ステンレス素材などで強度のあるワイヤー６を上下方向に並ぶアイナット４ｃや左右方向に並ぶアイナット４ｃにそれぞれ通して各ワイヤー６を所定間隔で配設する。そして、各ワイヤー６に対して、化学繊維や麻などの天然繊維からなる網状の第２の生育補助材７をロープなどを介して結わいつけることにより、壁面Ｗ上に壁面緑化体２０が形成され、その取り付けが完了する。
【００４８】
ここで、ワイヤー６の間隔に応じて取り付けられる第２の生育補助材７の大きさや強度を設定したり、逆に、第２の生育補助材７の大きさや強度に応じてワイヤー６の間隔、すなわち、アイナットの取り付け間隔を設定する。
【００４９】
網状の第２の生育補助材７の最下端部は、壁面緑化体２０の最下端部にある取付金具ではなく、不図示の自然土壌やプランターに設けられた植栽部の前端に取り付けるようにするのがよい。こうすることによって植栽面から伸びた巻つる性植物のつるが網状の第２の生育補助材７に接する機会が多くなり、巻つる性植物の登はんが促進される。
【００５０】
また、不図示の植栽部に緑化植物を植えつけるに当たり、吸着・付着性のつる植物は板状の第１の生育補助材５が取り付けられている壁面に接するように植栽部の後方に植え付け、巻きつる性の植物は植栽部の前面に取り付けられた網状の第２の生育補助材７に接するように植栽部の前方に植えつけることが望ましい。このように緑化植物を生育特性に応じて植え分けることによって双方の棲み分けが可能となり、双方の植物の同時登はんが促進される。
【００５１】
図示する取付け金具１０を具備する壁面緑化体２０とこの壁面緑化体２０の組付け方法によれば、取付け金具１０を使用することにより、壁面Ｗに対して生育型が異なる植物を同時に、しかも低コストで登はんもしくは下垂させることが可能となる。
【００５２】
[本発明の壁面緑化体による効果を確認した実験と観察結果]
本発明者等は、横浜市戸塚区名瀬町にある本出願人の技術センター内の壁面にて2009年2月より壁面緑化試験をおこなった。まず、緑化対象の壁面の下方において、この壁面に接するように高さ70cm、幅40cmのプランターを設置し、その中に緑化用に成分などが調整された人工土壌を敷き詰めた。
【００５３】
次に、プランターの上端に接するように、本願発明の取付け金具を60cm間隔で壁面に取り付け、それを基準として60cm間隔でマス目状に、取付け金具を壁面に固定した。吸着・付着型植物に対する板状の生育基盤材には、ロックウールから成る表面に凹凸がついた天井板（商品名：ソーラートン）を用いた。
【００５４】
天井板の対角線上には天井板の四隅から縦横3cm離れた位置に径8mmの穴を開け、取付け金具の四隅にある全ねじ状の突起に通し、その上から4cm四方のステンレス製の押さえ板を通してボルトで締めて、取付け金具と押え板で挟みこむようにして板状の生育補助材を設置した。網状の生育補助材には、超高強力ポリエチレン繊維（商品名：ダイニーマ）からなる網目10cmの植生ネットを用いた。
【００５５】
この植生ネットを取り付けるに当たって、120cm間隔で取付け金具にアイナットを装着し、そこにネット固定用のステンレスワイヤー（径3mm）を通し、ロープを使ってワイヤーに植生ネットを結わいつけた。
【００５６】
このようにして高さ5ｍ、幅1.5ｍの範囲で板状の生育補助材と網状の生育補助材を備えた緑化装置を設置した（実施例：新規工区）。そして、その右隣りに対照区として、特許文献１で開示されている緑化マットを同じ大きさで壁面に取り付けた（比較例：在来工区）。ここで、緑化植物として、吸着・付着型のヘデラ・カナリエンシス、ビグノニア、オオイタビと巻つる型のテイカカズラとムべを、新規工区と在来工区にそれぞれ同数植え付け、定期的に壁面の被覆状況と植物の伸長量を計測した。計測結果を以下の表１，２に示している。
【００５７】
【表１】
0005819777.tif 000002
【００５８】
【表２】
0005819777.tif 000003
【００５９】
ヘデラ・カナリエンシスやビグノニアといった大型の付着性植物については、植え付け1年目において、比較例（従来工区）における伸長量がやや高かったが、小型の付着性植物であるオオイタビや巻つる性植物は実施例（新規工区）にて旺盛に伸長した。
【００６０】
植え付け3年目に、ヘデラ・カナリエンシス、ビグノニア、ムべは、両工区において高さ5ｍの緑化装置の上端まで登はんしたが、オオイタビとテイカカズラについては伸長量に差が見られ、新規工区における伸長量が在来工区に比べて高く、植栽した５種類の植物による壁面の緑被率も高かった。新規工区では、本願発明の取付け金具によって設置された第１、第２の生育補助材によって付着型植物と巻つる型植物の棲み分けが可能となり、複層的な緑化が形成されていることが確認された。
【００６１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６２】
１…ホールインアンカー、２…第１のプレート、２ａ…プレート材、２ｂ…ボルト挿通孔、２ｃ…突起、３…第２のプレート、３ａ…プレート材、３ｂ…ボルト挿通孔、３ｃ…突起挿通孔、４…留め具、４ａ…ボルト（寸切ボルト）、４ｂ１…第１の留めナット、４ｂ２…第２の留めナット、４ｃ…アイナット、５…（板状の）第１の生育補助材、５ａ…留め孔、６…ワイヤー、７…（網状の）第２の生育補助材、１０…取付け金具、２０…壁面緑化体、Ｗ…壁面
【図１】
0005819777.tif 000004
【図２】
0005819777.tif 000005
【図３】
0005819777.tif 000006
【図４】
0005819777.tif 000007
【図５】
0005819777.tif 000008
【図６】
0005819777.tif 000009
【図７】
0005819777.tif 000010
【図８】
0005819777.tif 000011